(57)【要約】【課題】  板状逆Ｆアンテナを使用した無線装置において、アンテナ地板の占める面積を縮小することなく部品実装のスペースを確保するということを目的とするものである。【解決手段】  板状逆Ｆアンテナ１は、基板２を有し、またこの基板２上にべたグランドとしてアンテナ地板３が配置されている。アンテナ地板３としての銅箔の一部は導電性部材４に置き換えてあり、それぞれが回路的に接続されるようにする。このようにすると、アンテナ地板３としては２種類の材料により構成されているにもかかわらず、板状逆Ｆアンテナ１から見ると地板としてのグランドは一体のものとして利用できる。【選択図】  図１
2005094428.tif 000002
【特許請求の範囲】
【請求項１】
板状逆Ｆアンテナと、前記アンテナを取り付ける基板と、前記基板上に銅箔として構成されているアンテナ地板とからなり、前記基板上のアンテナ地板の一部が導電性の部材により置き換えられたことを特徴とした無線装置。
【請求項２】
前記アンテナ地板の部材を一点でのみ回路グランドに接続させることを特徴とした請求項１記載の無線装置。
【請求項３】
前記アンテナ地板の部材の固定用足の一部を折り曲げることにより前記基板に固定できることを特徴とした請求項１記載の無線装置。
【請求項４】
前記アンテナとアンテナ地板の部材を一体で成型することを特徴とした請求項１記載の無線装置。
【請求項５】
回路駆動用電池の筐体をアンテナ地板の一部として利用することを特徴とした請求項１記載の無線装置。
【発明の詳細な説明】
【技術分野】
【０００１】
本発明は、例えば、ガス保安装置などにおける情報を送受するための無線装置に関するものである。
【背景技術】
【０００２】
従来の無線装置は図６に示す構成であった。すなわち、１１は板状逆Ｆアンテナ、１２は基板、１３はこの基板１２上にべたグランドとして配置されたアンテナ地板である。
【０００３】
上記板状逆Ｆアンテナ１１は、アンテナの構成上一定の距離にアンテナの投影面積以上のグランドとしてのアンテナ地板１３が必要である。そして基板１２にアンテナを実装する場合には、一般的に基板１２上の銅箔を広範囲に繋げてべたグランド化し、これをアンテナ地板１３として利用している（例えば、特許文献１）。
【特許文献１】特開平９−１３９６２１号公報
【発明の開示】
【発明が解決しようとする課題】
【０００４】
しかしながら、上記構成にあっては、無線装置である以上その他の回路、電源等も必要であり、アンテナ構成部品とあわせると大きなにスペースが必要であり、小型化に限界があった。
【０００５】
また、さらなる小型化を行うには、アンテナ地板１３であるべたグランドの面積も少なくなってしまうものであった。アンテナ地板１３の面積の縮小はアンテナ性能への影響があり、実施し難いという課題があった。
【０００６】
本発明はこのような従来の課題を解決したものであって、小型高性能な無線装置を提供することを目的とするものである。
【課題を解決するための手段】
【０００７】
上記目的を達成するために、本発明の無線装置は、アンテナ地板の一部に導電性の部材を使用することにより、部材に置き換えられた基板上の地板としてのべたグランド面積を縮小し、この場所に回路部品等が実装できるようにしたものである。
【発明の効果】
【０００８】
本発明の無線装置は、板状逆Ｆアンテナの地板に、基板の銅箔だけでなく導電性部材を組み合わせるようにすることで、導電性部材と基板との間に空間を確保し、アンテナの性能を落とすことなく回路部品の実装を行うことができる。
【発明を実施するための最良の形態】
【０００９】
本発明の実施の形態は、板状逆Ｆアンテナと、この板状逆Ｆアンテナを取り付ける基板と、前記基板上に銅箔として構成されているアンテナ地板とからなり、前記基板上のアンテナ地板の一部を導電性の部材によ構成したものである。
【００１０】
これにより、アンテナ地板としてのグランド面積を縮小することなく、回路部品等の実装ができる。
【００１１】
前記アンテナ地板の部材は一点でのみ回路グランドに接続させるようにして、アンテナ地板内の電流の流れを整流し、回路グランドを通じて他の回路へ影響を与えるのを防ぐようにしている。
【００１２】
またアンテナ地板の部材の固定用足の一部を折り曲げることにより基板に固定するようにした。したがって、アンテナ地板の足を半田付けすることなく回路基板にアンテナ地板を固定することができる。
【００１３】
板状逆Ｆアンテナとアンテナ地板の部材を一体で成型することで、アンテナ構成部品点数の低減を図り、加えて、板状逆Ｆアンテナとアンテナ地板との距離を一定に保ち易くした。
【００１４】
さらに、回路駆動用電池の筐体をアンテナ地板の一部として利用することで、アンテナ地板の有効面積を向上させ、アンテナの性能向上と安定化を促進してえいる。
【実施例】
【００１５】
以下、本発明の実施例について図面を用いて説明する。
【００１６】
（実施例１）
図１において、板状逆Ｆアンテナ１は、基板２を有し、またこの基板２上にべたグランドとしてアンテナ地板３が配置されている。
【００１７】
アンテナ地板３としての銅箔の一部は導電性部材４に置き換えてあり、それぞれが回路的に接続されるようにする。このようにすると、アンテナ地板３としては２種類の材料により構成されているにもかかわらず、板状逆Ｆアンテナ１から見ると地板としてのグランドは一体のものとして利用できる。
【００１８】
これにより、アンテナの性能には影響を与えずに、導電性部材４と基板２の間に空間が生まれることになり、回路部品５等の実装が可能となる。
【００１９】
図２に示すように、上記導電性部材４の固定用の足６，７の内、回路グランドとの接続を足６の一点でのみ行い、その他の足７は固定だけを行うようにする。
【００２０】
その結果、アンテナとの間で発生した電流を整流することができ、電気回路自体のグランドに不要に流れ込んだり、逆に、回路の影響がアンテナに及ぶというようなことを回避することができる。
【００２１】
そして、図３のように、固定用の足７の先端を基板２の穴に挿入後、折り曲げる構成とすることで、同固定用の足７を基板２に半田付けすることなく固定できる。
【００２２】
（実施例２）
図４のように、板状逆Ｆアンテナ１と導電性部材４を一体的に成型し、その後、折り曲げ加工により、製品状態とすることも考えられる。
【００２３】
これにより、アンテナ構成部品としての実装数を減らし、製造時の工数の削減を行うことができる。
【００２４】
また、板状逆Ｆアンテナのアンテナ特性の重要な要素である、アンテナと地板との距離についても、一体物を折り曲げることにより一定となることから、性能の安定につながる。
【００２５】
（実施例３）
図５のように、回路駆動用電池８を導電性部材４のすぐそばに配置するか、あるいは、導電性部材４を回路駆動用電池８のすぐそばまでくる大きさに設定するようにする。
【００２６】
これにより、回路駆動用電池８の筐体と導電性部材４があたかも一体のグランドとして利用できる様になるため、アンテナ地板としての有効グランド面積を大きくすることができ、アンテナの性能向上と安定化を図ることができる。
【産業上の利用可能性】
【００２７】
以上のように本発明の無線装置によれば、アンテナの性能を落とすことなく回路部品の実装を行うことができ、例えば、住宅情報網の情報伝達などへの用途に適用できる。
【図面の簡単な説明】
【００２８】
【図１】本発明の実施例１における無線装置を示す構成図
【図２】要部の斜視図
【図３】同要部の裏面図
【図４】本発明の実施例２における無線装置を示す構成図
【図５】本発明の実施例３における無線装置を示す構成図
【図６】従来の実施例における無線装置を示す構成図
【符号の説明】
【００２９】
１  板状逆Ｆアンテナ
２  基板
３  アンテナ地板
４  導電性部材
５  回路部品
６  接続部
７  固定部
８  回路駆動用電池
【図１】
2005094428.tif 000003
【図２】
2005094428.tif 000004
【図３】
2005094428.tif 000005
【図４】
2005094428.tif 000006
【図５】
2005094428.tif 000007
【図６】
2005094428.tif 000008